(57)【要約】【課題】容易に前記スクリーンを取り出して交換でき、かつ、充填中に前記Ｕ字形ばねが落下しない構造の充填バルブを提供することを目的としている。【解決手段】液通路の先端部にスクリーン１０を備える飲料等を容器５に充填する充填バルブ１において、充填バルブ本体１９の液通路１５ａで液通路開閉部より下方の液通路１５ａと、先端部の充填ノズル１１の液通路１１ａの間にスクリーン１０を配置して、充填ノズル１１と係合し、かつ、充填バルブ本体１９と係合する着脱容易なばね用ステンレス鋼線等から成る第一Ｕ字形ばね１２で、充填ノズル１１を充填バルブ本体１９に着脱する構成としたことを特徴とする。【選択図】図１
2011057266.tif 000002
【特許請求の範囲】
【請求項１】
液通路の先端部にスクリーンを備える飲料等を容器に充填する充填バルブにおいて、充填バルブ本体の液通路で液通路開閉部より下方の液通路と、先端部の充填ノズルの液通路の間にスクリーンを配置して、前記充填ノズルと係合し、かつ、前記充填バルブ本体と係合する着脱容易なばね用ステンレス鋼線等から成る第一Ｕ字形ばねで、前記充填ノズルを前記充填バルブ本体に着脱する構成としたことを特徴とする充填バルブ。
【請求項２】
請求項１に記載する充填バルブにおいて、充填時は前記第一Ｕ字形ばねが前記充填ノズルの外周部に配置されたセンタリングベルで囲まれる構成としたことを特徴とする充填バルブ。
【請求項３】
請求項２に記載する充填バルブにおいて、前記センタリングベルの外周部と係合し、かつ、該充填バルブのセンタリングベル取り付け部材と係合する着脱容易なばね用ステンレス鋼線等から成る第二Ｕ字形ばねで、前記センタリングベルを前記センタリングベル取り付け部材に着脱する構成としたことを特徴とする充填バルブ。
【請求項４】
請求項１から３のうちいずれか一項に記載する充填バルブにおいて、前記第二Ｕ字形ばねを離脱させて前記センタリングベルを前記センタリングベル取り付け部材から離脱させた後、前記第一Ｕ字形ばねを離脱させて前記充填ノズルを前記充填バルブ本体から離脱させる構成としたことを特徴とする充填バルブ。
【請求項５】
請求項１又は２に記載する充填バルブにおいて、前記充填ノズルの前記第一Ｕ字形ばねとの係合箇所を相対する二面幅部を有する溝と該溝に隣接する円弧部の組み合わせ構成としたことを特徴とする充填バルブ。
【請求項６】
請求項５に記載する充填バルブにおいて、前記充填ノズルの頭部の外径側の角部に面取り部を構成したことを特徴とする充填バルブ。
【発明の詳細な説明】
【技術分野】
【０００１】
本発明は、飲料等の液体の充填時に容器への異物の混入防止、充填される液体の整流効果等を目的としたスクリーンを充填ノズルに備えた充填バルブに関する。
【背景技術】
【０００２】
従来、容器に飲料等の液体を充填する充填バルブにおいて、先端部の充填ノズルにスクリーンを取り付けた充填バルブについては公知となっている。（特許文献１および２）
【先行技術文献】
【特許文献】
【０００３】
【特許文献１】実開平０４−００７４９８号公報（第１図）
【特許文献２】特開２００６−１５１４７３号公報（図５）
【発明の概要】
【発明が解決しようとする課題】
【０００４】
前記特許文献１によれば、充填バルブは、主液ノズルの下端部の外周にスクリーン保持リングを嵌着して、該スクリーン保持リングの下部内側にブリッジを固着し、該ブリッジの中央に開口部を有してこの開口部を覆うようにスクリーンを固着するとしている。
しかしながら、前記特許文献１の技術では、スクリーンがブリッジに固着された状態となっているので、スクリーンのみの交換は想定されておらず、スクリーンがブリッジに固着されたままの状態で交換することになり、高価になってしまうという恐れがある。
【０００５】
前記特許文献２によれば、充填バルブは、充填バルブハウジングの下端に、液バルブの弁座が形成され、かつ、スクリーンが取り付けられた液出口部材を取り付けるとしている。
しかしながら、前記特許文献２の技術では、充填バルブ内に液体が存在する場合に、スクリーンが取り付けられた液出口部材を取り外そうとすると、充填バルブ内の液体が外部へ出てしまうので、該スクリーンが取り付けられた液出口部材を取り外すことができない。従って、充填バルブ内に液体が存在する状態で、スクリーン、即ち、スクリーンが取り付けられた液出口部材の交換をすることはできないという恐れがある。
【０００６】
本発明は、充填バルブ本体と充填ノズルの液通路の間にスクリーンを配置し、充填ノズルが充填バルブ本体にＵ字形ばねを介して着脱される構成として、Ｕ字形ばねの離脱等によって充填ノズルを充填バルブ本体から離脱させることにより、充填バルブ内に液体が存在している状態でも、容易に前記スクリーンを取り出して交換でき、かつ、充填中に前記Ｕ字形ばねが落下しない構造の充填バルブを提供することを目的としている。
【課題を解決するための手段】
【０００７】
前記の課題に対し、本発明は以下の手段により解決を図る。
（１）第１の手段の充填バルブは、液通路の先端部にスクリーンを備える飲料等を容器に充填する充填バルブにおいて、充填バルブ本体の液通路で液通路開閉部より下方の液通路と、先端部の充填ノズルの液通路の間にスクリーンを配置して、前記充填ノズルと係合し、かつ、前記充填バルブ本体と係合する着脱容易なばね用ステンレス鋼線等から成る第一Ｕ字形ばねで、前記充填ノズルを前記充填バルブ本体に着脱する構成としたことを特徴とする。
（２）第２の手段の充填バルブは、前記第１の手段の充填バルブにおいて、充填時は前記第一Ｕ字形ばねが前記充填ノズルの外周部に配置されたセンタリングベルで囲まれる構成としたことを特徴とする。
（３）第３の手段の充填バルブは、前記第２の手段の充填バルブにおいて、前記センタリングベルの外周部と係合し、かつ、該充填バルブのセンタリングベル取り付け部材と係合する着脱容易なばね用ステンレス鋼線等から成る第二Ｕ字形ばねで、前記センタリングベルを前記センタリングベル取り付け部材に着脱する構成としたことを特徴とする。
【０００８】
（４）第４の手段の充填バルブは、前記第１から第３の手段の充填バルブにおいて、前記第二Ｕ字形ばねを離脱させて前記センタリングベルを前記センタリングベル取り付け部材から離脱させた後、前記第一Ｕ字形ばねを離脱させて前記充填ノズルを前記充填バルブ本体から離脱させる構成としたことを特徴とする。
（５）第５の手段の充填バルブは、前記第１および第２の手段の充填バルブにおいて、前記充填ノズルの前記第一Ｕ字形ばねとの係合箇所を相対する二面幅部を有する溝と該溝に隣接する円弧部の組み合わせ構成としたことを特徴とする。
（６）第６の手段の充填バルブは、前記第５の手段の充填バルブにおいて、前記充填ノズルの頭部の外径側の角部に面取り部を構成したことを特徴とする。
【発明の効果】
【０００９】
請求項１に係わる本発明は、液通路の先端部にスクリーンを備える飲料等を容器に充填する充填バルブにおいて、充填バルブ本体の液通路で液通路開閉部より下方の液通路と、先端部の充填ノズルの液通路の間にスクリーンを配置して、前記充填ノズルと係合し、かつ、前記充填バルブ本体と係合する着脱容易なばね用ステンレス鋼線等から成る第一Ｕ字形ばねで、前記充填ノズルを前記充填バルブ本体に着脱する構成としたことにより、該第一Ｕ字形ばねを離脱し、前記充填ノズルを前記充填バルブ本体から離脱させることによって、充填バルブ内に液体が存在している状態でも、容易に前記スクリーンを取り出して交換或いは洗浄することができるという効果を有する。  
請求項２に係わる本発明は、請求項１に記載する充填バルブにおいて、充填時は前記第一Ｕ字形ばねが前記充填ノズルの外周部に配置されたセンタリングベルで囲まれる構成としたことにより、充填中に前記第一Ｕ字形ばねが脱落しないという効果を有する。
請求項３に係わる本発明は、請求項２に記載する充填バルブにおいて、前記センタリングベルの外周部と係合し、かつ、該充填バルブのセンタリングベル取り付け部材と係合する着脱容易なばね用ステンレス鋼線等から成る第二Ｕ字形ばねで、前記センタリングベルを前記センタリングベル取り付け部材に着脱する構成としたことにより、該第二Ｕ字形ばねの着脱によって容易に前記センタリングベルを着脱することができるという効果を有する。
【００１０】
請求項４に係わる本発明は、請求項１から３に記載する充填バルブにおいて、前記第二Ｕ字形ばねを離脱させて前記センタリングベルを前記センタリングベル取り付け部材から離脱させた後、前記第一Ｕ字形ばねを離脱させて前記充填ノズルを前記充填バルブ本体から離脱させる構成としたことにより、容易に前記スクリーンを取り出して交換或いは洗浄することができるという効果を有する。
請求項５に係わる本発明は、請求項１および２に記載する充填バルブにおいて、前記充填ノズルの前記第一Ｕ字形ばねとの係合箇所を相対する二面幅部を有する溝と該溝に隣接する円弧部の組み合わせ構成としたことにより、前記充填ノズルを所定角度回転させて前記充填ノズルと前記第一Ｕ字形ばねとの嵌合状態の係合を解除させた線接触状態にして、容易に前記充填ノズルを引き抜いて離脱させることができるという効果を有する。
請求項６に係わる本発明は、請求項５に記載する充填バルブにおいて、前記充填ノズルの頭部の外径側の角部に面取り部を構成したことにより、該面取り部を有する前記充填ノズルの頭部を、前記充填ノズルが離脱されたことにより前記充填バルブ本体との係合箇所に残された前記第一Ｕ字形ばねに押し込むと、前記充填ノズルの前記面取り部が前記第一Ｕ字形ばねの内周側との接触を経て、前記第一Ｕ字形ばねを押し開くことにより、前記充填ノズルと前記第一Ｕ字形ばねが係合できるようになって、容易に前記充填ノズルを前記充填バルブ本体に装着することができるという効果を有する。
【図面の簡単な説明】
【００１１】
【図１】本発明に係わる充填バルブの正面図で、一部断面図としてある。
【図２】図１の充填バルブの下部のＡ矢視図である。
【図３】充填バルブ先端部のスクリーンの着脱を説明する正面断面図で、関連部品が装着された状態を示す図である。
【図４】充填バルブ先端部のスクリーンの着脱を説明する正面断面図で、センタリングベルを引き出して離脱させた状態を示す図である。
【図５】図４におけるＢ−Ｂ視図である。
【図６】充填バルブ先端部のスクリーンの着脱を説明する正面断面図で、第一Ｕ字形ばねを引き抜いて離脱させる寸前の状態を示す図である。
【図７】図６におけるＣ−Ｃ視図である。
【図８】充填バルブ先端部のスクリーンの着脱を説明する正面断面図で、第一Ｕ字形ばねを離脱させ、充填ノズルを引き抜いて離脱させて、スクリーンを着脱できる状態を示す図である。
【図９】図８におけるＤ−Ｄ視図である。
【図１０】本発明の第２の実施の形態の充填バルブの部分図とした正面断面図で、図３（４）に相当する図である。
【図１１】図４のＥ−Ｅ断面図である。
【図１２】充填ノズルを所定角度回転させて充填ノズルがＵ字形ばねとの嵌合状態の係合から解除されて線接触している状況を説明する図である。
【発明を実施するための形態】
【００１２】
以下、この発明の実施の形態につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００１３】
（第１の実施の形態）
本発明の第１の実施の形態を図１から図３に基づいて説明する。
図１は、本発明に係わる充填バルブの正面図で、一部断面図としてある。
図２は、図１の充填バルブの下部のＡ矢視図である。
図３は、充填バルブ先端部のスクリーンの着脱を説明する正面断面図で、関連部品が装着された状態を示す図である。
図４は、充填バルブ先端部のスクリーンの着脱を説明する正面断面図で、センタリングベルを引き出して離脱させた状態を示す図である。図５は、図４におけるＢ−Ｂ視図である。
図６は、充填バルブ先端部のスクリーンの着脱を説明する正面断面図で、第一Ｕ字形ばねを引き抜いて離脱させる寸前の状態を示す図である。図７は、図６におけるＣ−Ｃ視図である。
図８は、充填バルブ先端部のスクリーンの着脱を説明する正面断面図で、第一Ｕ字形ばねを離脱させ、充填ノズルを引き抜いて離脱させて、スクリーンを着脱できる状態を示す図である。図９は、図８におけるＤ−Ｄ視図である。
【００１４】
図において、充填バルブ１は、液通路１５ａを有し、図示しないフレームに固定された充填バルブ本体１９に液密に取り付けられた内筒１５、および、該内筒１５の内側に配置され、該内筒１５の液弁シール面１５ｓとの離合により液通路を開閉する液弁パッキン１３ｐを有する液弁１３等から成っており、液通路開閉部より下部の液通路には、メッシュ状等のスクリーン１０が、液通路１１ａを有する充填ノズル１１の受け面１１ｈと内筒１５の下面との間に挟まれ、充填ノズル１１の溝１１ｇおよび前記充填バルブ本体１９と一体になっている充填バルブ本体下部１６の溝１６ｇに係合するばね用ステンレス鋼線等から成る第一Ｕ字形ばね１２により充填ノズル１１が充填バルブ本体下部１６に液密に装着されることにより、取り付けられている。
なお、前記内筒１５内には図示しない液タンクから図示しない配管を通じて液体が供給されるようになっている。
また、図１は充填バルブ１が開となって容器５へ液体が充填される状態を示し、図３は充填バルブ１が閉となっている状態を示している。
【００１５】
前記液弁１３は、上方部で図示のように、前記充填バルブ本体１９に液密に固定されたハウジング２４を介して、該ハウジング２４上に設けられた架台２５に取り付けられたアクチュエータ２６の可動部に固定用部品２６ｔにより取り付けられており、前記アクチュエータ２６の作動により上下動して、前記液弁パッキン１３ｐが前記液弁シール面１５ｓと離合するようになっている。なお、前記液弁１３は前記ハウジング２４に対して液密に摺動するようになっている。
また、前記液弁１３は、該液弁１３と一体になっている４個の液弁ガイド１３ａに案内されて前記内筒１５の内面を円滑に摺動するようになっている。
【００１６】
前記内筒１５の外周側には、容器台６上の容器５の口部と係合する容器口シールパッキン１７ａを有するセンタリングベル１７が配置されていて、該センタリングベル１７は外周面が前記充填バルブ本体下部１６に対して上下方向に摺動可能となっており、さらに、該センタリングベル１７は、外周面に設けられた溝１７ｈと係合するばね用ステンレス鋼線等から成る第二Ｕ字形ばね２０を介して、センタリングベル取り付け部材２１の上面に係合するとともに、該第二Ｕ字形ばね２０のループ部２０ａが前記センタリングベル取り付け部材２１の窪み２１ｈに係合して、前記センタリングベル取り付け部材２１に装着されるようになっている。
また、前記センタリングベル取り付け部材２１のフランジ部２１ａは、ガイド軸２２の下方で該ガイド軸２２に、ガイド軸２２と段差を有して一体になったガイド軸先端部２２ａを介して締付け具２３ａにより挟まれて締め付けられている。
なお、前記充填バルブ本体下部１６の前記充填ノズル１１近辺には前記第一Ｕ字形ばね１２の後述する着脱に必要な窪み１６ｈが設けられている。
【００１７】
また、前記ガイド軸２２は、該ガイド軸２２に固定して取り付けられたブラケット２２ｃに付属している軸２２ｐに回動自在に取り付けられているローラ２２ｒが、図示しないカムで案内されることにより上下動され、前記アクチュエータ２６の上面に取り付けられているガイドプレート２７に嵌装された図示しない摺動ガイド、および、充填バルブ本体１９のフランジ１９ｆに嵌装された図示しない摺動ガイドに案内されて上下動されるようになっている。
さらに、前記ガイド軸２２は、上方部で図示のように、プレート２８が前記ガイド軸２２に該ガイド軸２２と段差を有して一体になったガイド軸先端部２２ｂを介して締付け具２３ｂにより挟まれて締め付けられている。また、前記ガイドプレート２７にはアクチュエータ２９がブラケット２９ｂを介して取り付けられており、該アクチュエータ２９の軸２９ａが前記プレート２８に取り付けられていて、アクチュエータ２９が作動すると、軸２９ａの上下動により前記プレート２８とともに前記ガイド軸２２が上下動されるようになっている。
【００１８】
なお、前記第一Ｕ字形ばね１２は、Ｕ字形の中央部を引っ掛ける引っ掛け部１４ａを有する工具１４を使用して引き抜くことにより、前記充填ノズル１１および前記充填バルブ本体下部１６との係合部から離脱できるようになっている。
また、前記充填ノズル１１には、図示のように、溝１１ｋが外周面に設けられており、該溝１１ｋの相対する２箇所に工具３０を嵌めて充填ノズル１１を図示下方へ引き抜いて離脱することができるようになっている。
前記工具３０は、一例として、それぞれ先端が前記溝１１ｋと係合する係合部３１ａおよび係合部３２ａを有し、ピン３４の周りを揺動する挟み具３１および挟み具３２、その中央部がピン３４の周りに巻き付いてレバー部が前記挟み具３１および挟み具３２の内側と係合するばね３３で構成されている。該工具３０は前記ばね３３によって常時は開く方向に作動し、挟み具３１および挟み具３２を手で挟む時に係合部３１ａおよび係合部３２ａを前記溝１１ｋと係合させて、前記充填ノズル１１を押し込み或いは引き抜きにより着脱することができるようになっている。
【００１９】
次に、本実施の形態に係わる充填バルブ１の作用を説明する。
スクリーン１０の交換等において、スクリーン１０を取り外す際の手順を、図３から図９をもとに説明すると、図３に示す充填直後の関連部品が装着された状態から、図４，図５に示すように、第二Ｕ字形ばね２０を引き抜いて離脱させ、容器口シールパッキン１７ａと一体になったセンタリングベル１７を下方へ引き出して離脱して、充填バルブ本体下部１６に充填ノズル１１を装着している第一Ｕ字形ばね１２を引き抜くことができる状態となり、図６，図７に示すように、工具１４の引っ掛け部１４ａを第一Ｕ字形ばね１２の中央部に当てて、図８，図９に示すように、工具１４を図示左方向へ引くと、第一Ｕ字形ばね１２を引き抜いて離脱させることができ、工具３０により挟み具３１および挟み具３２の係合部３１ａおよび係合部３２ａを溝１１ｋと係合させて、下方へ引き抜くことにより充填ノズル１１を離脱させることができる。この状態でスクリーン１０を取り外して交換、或いは、洗浄することができる。
【００２０】
前記スクリーン１０を受け面１１ｈに受けて、充填ノズル１１を充填バルブ本体下部１６に装着する場合、および、センタリングベル１７をセンタリングベル取り付け部材２１に装着する場合は、上記離脱の場合と逆の順序で行うことができるが、詳細な説明は省略する。
【００２１】
なお、従来、小形状のＵ字形ばねは、抜けて脱落する恐れがあると言われてきたが、本実施例では、充填時において、第一Ｕ字形ばね１２は容器口シールパッキン１７ａと一体となっているセンタリングベル１７の内周部に囲まれており、抜けによる脱落を防止することができる。
【００２２】
（第２の実施の形態）
次に、本発明の第２の実施の形態を図１０から図１２に基づいて説明する。
図１０は、本発明の第２の実施の形態の充填バルブの部分図とした正面断面図で、図８に相当する図である。
図１１は、図１０のＥ−Ｅ断面図である。
図１２は、充填ノズルを所定角度回転させて充填ノズルがＵ字形ばねとの係合から解除されて線接触している状況を説明する図である。
図１０から図１２において、第１の実施の形態と同じ構造のものは同じ記号を記してあり、重複する説明は省略する。
【００２３】
充填バルブ２は、第一Ｕ字形ばね１２と係合する箇所が相対する平行な面を持つ所謂二面幅の溝４１ｇ、円弧部４１ｒ、および、溝４１ｇと円弧部４１ｒの境界となっている角部４１ｅから成っているとともに、工具３０と係合する箇所が、平行な面を持つ所謂二面幅の溝４１ｋを構成し、頭部の角部に面取り部４１ｃを構成する充填ノズル４１を有する。
なお、充填ノズル４１はスクリーン１０を受ける受け面４１ｈが構成されている。
図１０は、工具３０を手に取って、それぞれ挟み具３１および挟み具３２の係合部３１ａおよび係合部３２ａを前記充填ノズル４１の２箇所の溝４１ｋと係合させるように挟み、工具３０を矢印Ｒの方向に所定角度（ここでは９０°）回転させてから矢印Ｓの方向に引き抜いて、充填ノズル４１を充填バルブ２から離脱させた状態を示している。
【００２４】
次いで、第２の実施の形態に係る充填バルブ２の作用を説明する。
工具３０を手に取って、それぞれ挟み具３１および挟み具３２の係合部３１ａおよび係合部３２ａを前記充填ノズル４１の２箇所の溝４１ｋと係合させるように挟み、工具３０を矢印Ｒの方向に所定角度回転させると、第一Ｕ字形ばね１２は溝４１ｇとの係合から角部４１ｅを経て、円弧部４１ｒとの係合へ変化していく。即ち、第一Ｕ字形ばね１２は、図１２に示す二点鎖線で示す状態から実線で示す状態へと変化していく。
第一Ｕ字形ばね１２が図１２の実線で示す状態になると、充填ノズル４１は、第一Ｕ字形ばね１２との係合が溝４１ｇに嵌合した状態から円弧部４１ｒとの線接触状態となり、溝４１ｋにそれぞれ挟み具３１および挟み具３２の係合部３１ａおよび係合部３２ａが係合した状態で工具３０が矢印Ｓ方向へ引き抜かれることにより、充填バルブ本体下部１６から離脱することができる。
なお、第一Ｕ字形ばね１２は充填バルブ本体下部１６の溝１６ｇに残ったままとなる。
【００２５】
受け面４１ｈにスクリーン１０を受けた充填ノズル４１を充填バルブ本体下部１６の溝１６ｇに残ったままの第一Ｕ字形ばね１２と再び係合させる場合、即ち、充填ノズル４１を充填バルブ本体下部１６に装着する場合は、前記充填ノズル４１を充填バルブ本体下部１６からの引き抜きの場合の説明とは逆に、工具３０を溝４１ｋにそれぞれ挟み具３１および挟み具３２の係合部３１ａおよび係合部３２ａが係合した状態にして、工具３０によって充填ノズル４１を挟んだまま、充填バルブ２の下方から上方へ向って溝１６ｇに残ったままの第一Ｕ字形ばね１２に向けて押し込むと、充填ノズル４１の面取り部４１ｃ部が第一Ｕ字形ばね１２の内周側と係合を開始し、さらに充填ノズル４１を矢印Ｓ方向とは逆方向の下方から上方に向けて押し込むと、第一Ｕ字形ばね１２のばね力に抗して第一Ｕ字形ばね１２が開く方向に作動し、充填ノズル４１を挟んだままの工具３０を適宜の角度に回転させることにより、充填ノズル４１の溝４１ｇに第一Ｕ字形ばね１２が嵌合した係合状態とすることができ、充填ノズル４１は充填バルブ本体下部１６に装着される。
【００２６】
上記説明のように、第２の実施の形態の充填バルブ２は、センタリングベル１７を引き抜いて離脱させることなく、充填ノズル４１を工具３０の使用で充填バルブ本体下部１６から引き抜いて離脱させ、或いは、押し込んで装着させることができるので、スクリーン１０の交換および洗浄を極めて容易に行うことができる。
【符号の説明】
【００２７】
１  充填バルブ
２  充填バルブ
５  容器
１０  スクリーン
１１  充填ノズル
１１ａ  液通路
１１ｇ  溝
１１ｈ  受け面
１１ｋ  溝
１２  第一Ｕ字形ばね
１３  液弁
１３ｐ  液弁パッキン
１４  工具
１５  内筒
１５ａ  液通路
１５ｓ  液弁シール面
１６  充填バルブ本体下部
１６ｇ  溝
１６ｈ  窪み
１７  センタリングベル
１７ａ  容器口シールパッキン
１７ｈ  溝
２０  第二Ｕ字形ばね
２０ａ  ループ部
２１  センタリングベル取り付け部材
３０  工具
３１  挟み具
３１ａ  係合部
３２  挟み具
３２ａ  係合部
３３  ばね
３４  軸
４１  充填ノズル
４１ｃ  面取り部
４１ｅ  角部
４１ｇ  溝
４１ｈ  受け面
４１ｋ  溝
４１ｒ  円弧部
【図１】
2011057266.tif 000003
【図２】
2011057266.tif 000004
【図３】
2011057266.tif 000005
【図４】
2011057266.tif 000006
【図５】
2011057266.tif 000007
【図６】
2011057266.tif 000008
【図７】
2011057266.tif 000009
【図８】
2011057266.tif 000010
【図９】
2011057266.tif 000011
【図１０】
2011057266.tif 000012
【図１１】
2011057266.tif 000013
【図１２】
2011057266.tif 000014